(57)【要約】【課題】立設が容易な猿用電気柵の支柱を提供する。【解決手段】先ず長さ１．８ｍの金属製パイプ４を地中３にハンマーで８０ｃｍ打ち込む。この作業は作業者が高さ４０ｃｍ程度の踏み台の上に立ち、他の人に金属製パイプ４を鉛直に支えてもらえば行うことができる。次に地表に出ている１ｍの部分の金属製パイプ４に、金属パイプ４の外径より大きい内径を持ち、雨水侵入防止のために先端に蓋６を取り付けた、長さ２．２ｍの絶縁物製パイプ５を嵌入する。【選択図】図２
0003185207.tif 000002
【実用新案登録請求の範囲】
【請求項１】
田畑の周囲に導電性の網を設置しその導電部に衝撃高圧を印加して、侵入しようとする猿を感電させることによって撃退する電気柵の支柱の立設において、
まず金属パイプを地表に立設し、以下のような特徴を持つ絶縁物製パイプをその金属パイプに嵌入することにより、立設を容易にした猿用電気柵の支柱
（ア）金属パイプの外径より大きい内径を持つ。
（イ）雨水侵入防止のために先端に蓋を取り付けてある。
（ウ）金属パイプの地上部分より長い。
【請求項２】
請求項１の絶縁物製パイプの先端部の外径を絞って細くし、猿用電気柵の網を取り付けてもずり落ち難いようにした猿用電気柵の支柱
【請求項３】
請求項１の絶縁物製パイプの表面に環状の突起を複数設けて、猿用電気柵の網を取り付けてもずり落ち難いようにした猿用電気柵の支柱
【請求項４】
請求項１の絶縁物製パイプの表面に多くの突起を設けて、猿用電気柵の網を取り付けてもずり落ち難いようにした猿用電気柵の支柱
【請求項５】
請求項１の絶縁物製パイプを、水道工事用のプラスチック製パイプの先端に水道工事用のプラスチック製径違いソケットを取り付けて外形を絞り、その径違いソケットの先端に水道工事用のプラスチック製キャップを取り付けた構造として、猿用電気柵の網を取り付けてもずり落ち難いようにした猿用電気柵の支柱
【請求項６】
請求項２〜５の絶縁物製パイプに、絶縁物製パイプの直径の２倍以上の幅と絶縁物製パイプの長さの１／２以上の長さを持つ絶縁物製の長方形の板を、長方形の板の長さ方向の中心線で絶縁物製パイプに接触するように、絶縁物製パイプの少なくとも上半分に取り付けて、猿が短時間でよじ登り難くした猿用電気柵の支柱
【考案の詳細な説明】
【考案の詳細な説明】
【技術分野】
【０００１】本考案は、畑の周囲に導電性の網を設置しその導電部に衝撃高圧を印加して、侵入しようとする猿を感電させることによって撃退する電気柵の支柱に関するものである。
【背景技術】
【０００２】近年山間地域の畑において猿の侵入による被害が多発しているため、畑の作物の周囲に電気柵を設置することが行なわれている。電気柵とは畑の周囲に導電性の網を設置しその導電部に衝撃高圧を印加して、侵入しようとする猿を感電させることによって撃退するものである。【０００３】図１に示す猿用電気柵の網１は、猿がジャンプしても飛び越えられないように２ｍの高さが必要である。また電気柵の網１を支える絶縁物の支柱２は、強風でも倒れないために地中３に８０ｃｍ打ち込まなければならない。したがって絶縁物の支柱２の長さは３ｍにもなる。【０００４】支柱２を他の人に鉛直に支えてもらって作業者がハンマーで地中３に打ち込んで立設する場合、支柱２の先端は作業者の目の位置より低くなければ作業者はハンマーを正確に支柱２の先端に振り下ろせない。だから身長が１．７ｍの作業者がハンマーで打ち込める支柱２の長さは１．６ｍ以下、高さ４０ｃｍの踏み台の上に作業者が立てば作業者がハンマーで打ち込める支柱２の長さは２ｍ以下である。したがって３ｍもある長い支柱２をハンマーで地中３に打ち込む場合には、高さ１．４ｍの踏み台の上に作業者が立たなければならず、昨今の高齢化した農村の人達が山間の傾斜地でこのような支柱２の打ち込み作業を行うことは困難でかつ危険と言わざるを得ない。
【考案の開示】
【考案が解決しようとする課題】
【０００５】そこで本考案が解決しようとする課題は、立設が容易な猿用電気柵の支柱を提供することにある。
【課題を解決するための手段】
【０００６】図２に示すように先ず長さ１．８ｍの金属製パイプ４を地中３にハンマーで８０ｃｍ打ち込む。この作業は作業者が高さ４０ｃｍ程度の踏み台の上に立ち、他の人に金属製パイプ４を鉛直に支えてもらえば行うことができる。この時にハンマーで金属パイプ４の先端を変形させてしまうと、後に行う絶縁物製パイプ５の嵌入ができなくなるので、それを防ぐためにパイプ打ち込み用の金属製キャップを金属パイプ４の先端に嵌めてハンマーで打ち込む。【０００７】金属製パイプ４を地中３にハンマーで８０ｃｍ打ち込んだ後、地表に出ている１ｍの部分の金属製パイプ４に、金属パイプ４の外径より大きい内径を持ち、雨水侵入防止のために先端に蓋６を取り付けた、長さ２．２ｍの絶縁物製パイプ５を嵌入する。これで支柱の立設が完了する。【０００８】絶縁物製パイプ５の表面は滑らかなので、電気柵の網１を取り付けてもずり落ちてしまう。
そこで図３のように絶縁物製パイプ５の先端の外径を絞って細くし、電気柵の網１を取り付けてもずり落ち難くすることができる。【０００９】又は図４のように絶縁物製パイプ５の表面に環状の突起７を複数設けて、電気柵の網１を取り付けてもずり落ち難くすることができる。【００１０】又は図５のように絶縁物製パイプ５の表面に多くの突起８を設けて、電気柵の網１を取り付けてもずり落ち難くすることができる。【００１１】又は図６のように水道工事用のプラスチック製パイプ９の先端に同じく水道工事用のプラスチック製径違いソケット１０を取り付けて外形を絞り、その径違いソケット１０の先端に水道工事用のプラスチック製キャップ１１を取り付けて絶縁物製パイプ５を形成し、電気柵の網１を取り付けてもずり落ち難くすることができる。【００１２】図１に示す既存の電気柵は人体への安全上の配慮から、導電部に印加する高電圧は連続ではなく断続的に印加される。そのために猿のように運動能力に優れた動物は、非通電時のうちに電気柵を乗り越えてしまう恐れがある。猿が電気柵の網１をよじ登って電気柵を乗り越えようとすると、網１は撓むのでよじ登り難く時間がかかり感電してしまう。そのことを学習した猿は、近年電気柵の網１を支える支柱２をよじ登って短時間で電気柵を乗り越えてしまうようになった。
図７及び図８に示すように絶縁物製パイプ５の直径の２倍以上の幅と絶縁物製パイプ５の長さの１／２以上の長さを持つ絶縁物製の長方形の板１２を、長方形の板１２の長さ方向の中心線で絶縁物製パイプ５に接触するように、絶縁物製パイプ５の少なくとも上半分に取り付ければ、猿は絶縁物製の長方形の板１２に遮られて絶縁物製パイプ５が見えないので絶縁物製パイプ５を掴み難く、短時間で絶縁物製パイプ５をよじ登ることができず感電して撃退される。【００１３】従来の電気柵の支柱２はハンマーで地中３に打ち込まれるので、ガラス繊維強化プラスチックやポリカーボネート等の高価な材料を用いて頑丈な構造としなければならなかった。しかし本考案の絶縁物製パイプ５はハンマーで地中３に打ち込む必要がないので、塩化ビニールやポリエチレンのような安価な材料を用いて製造することができるし、図６のように市販されている水道工事用のプラスチック製パイプ９、径違いソケット１０、キャップ１１を組み合わせるだけで構成することができる。また絶縁物製パイプ５の下半分は金属製パイプ４が挿入されているので、強風の横方向の力にも十分耐えることができる。
【考案の効果】本考案の電気柵の支柱であれば長さ１．８ｍの金属製パイプ３を立設するだけで良いので、作業者が高さ４０ｃｍ程度の踏み台の上に立ち、他の人に金属製パイプ４を鉛直に支えてもらえば容易にハンマーで立設作業を行うことができる。
【考案を実施するための最良の形態】
【００１４】金属製パイプ４は長さ１．８ｍ、外径３８．１ｍｍ、厚み２．３ｍｍの亜鉛メッキ鋼管で、絶縁物製パイプ５は長さ２．２ｍ、内径４０．８ｍｍ、厚み３．６ｍｍの塩化ビニール製パイプが適当である。
【図面の簡単な説明】
【００１５】
【図１】従来の猿用電気柵の正面図である。
【図２】本考案の支柱の鉛直方向の断面図である。
【図３】先端を細く絞った本考案の支柱の正面図である。
【図４】表面に環状の突起を複数設けた本考案の支柱の正面図である。
【図５】表面に多くの突起を設けた本考案の支柱の正面図である。
【図６】水道工事用の塩化ビニール製パイプ、径違いソケット、キャップを組み合わせて構成した本考案の支柱の正面図である。
【図７】支柱に絶縁物製の板を取り付けて、猿が支柱を掴んで短時間でよじ登り難くした本考案の支柱の鉛直方向の断面図である。
【図８】支柱に絶縁物製の板を取り付けて、猿が支柱を掴んで短時間でよじ登り難くした本考案の支柱の水平方向の断面図である。
【符号の説明】１  電気柵の網、  ２  支柱、  ３  地中、  ４  金属製パイプ、  ５  絶縁物製パイプ、  ６  蓋、  ７  環状の突起、  ８  突起、  ９  プラスチック製パイプ、  １０  径違いソケット、  １１  キャップ、  １２  絶縁物製の板
【図１】
0003185207.tif 000003
【図２】
0003185207.tif 000004
【図３】
0003185207.tif 000005
【図４】
0003185207.tif 000006
【図５】
0003185207.tif 000007
【図６】
0003185207.tif 000008
【図７】
0003185207.tif 000009
【図８】
0003185207.tif 000010